(57)【特許請求の範囲】
【請求項１】
デジタル光処理投影装置の表示方法であって、
駆動回路板と、前記駆動回路板上に設置され、複数のマイクロミラー及び予め設定された光入射方向を表示するための識別マークを含むデジタルマイクロミラーデバイスと、を含む光変調装置を提供するステップであって、前記デジタルマイクロミラーデバイスは、前記デジタル光処理投影装置の中において前記駆動回路板上に予め設定された予定方位を有し、前記デジタルマイクロミラーデバイスは、動作方位で前記駆動回路板上に設置され、前記動作方位は、前記駆動回路板上に予め設定された前記予定方位と所定の角度を成し、前記所定の角度は、１８０度であり、前記マイクロミラーの位置が第一の安定状態及び第二の安定状態から選択され、前記デジタルマイクロミラーデバイスは前記予定方位で前記駆動回路板上に設けられるときに、前記第一の安定状態の前記マイクロミラーが前記予め設定された光入射方向に沿って入射した光を投影レンズ内に反射し、前記第二の安定状態の前記マイクロミラーが前記予め設定された光入射方向に沿って入射した光を前記投影レンズの外への所定方向に反射し、前記デジタルマイクロミラーデバイスは前記動作方位で前記駆動回路板上に設けられるときに、前記第二の安定状態の前記マイクロミラーが前記予め設定された光入射方向に沿って入射した光を前記投影レンズ内に反射し、前記第一の安定状態の前記マイクロミラーが前記予め設定された光入射方向に沿って入射した光を前記投影レンズの外への所定方向に反射するステップと、
前記予め設定された光入射方向と異なる動作方向に沿って前記デジタルマイクロミラーデバイスに入射する照明光束を提供するステップであって、前記第二の安定状態の前記マイクロミラーは前記動作方向に沿って入射した前記照明光束を前記投影レンズ内に反射し映像を投影させ、前記第一の安定状態の前記マイクロミラーは前記動作方向に沿って入射した前記照明光束を前記投影レンズの外への所定方向に反射するステップと、
を含み、
前記デジタルマイクロミラーデバイスは前記駆動回路板上に予め設定された前記予定方位で前記駆動回路板上に設けられるときに、前記デジタルマイクロミラーデバイスは、１〜３個の明るいスポットを有し、前記明るいスポットは、前記デジタルマイクロミラーデバイスの前記マイクロミラーの位置がずっと前記第一の安定状態にあることを指す、
表示方法。
【請求項２】
前記駆動回路板に入力する映像信号が有する映像の明暗を反転するステップをさらに含み、
前記映像信号が有する前記映像の明暗は、前記デジタル光処理投影装置により投影される映像の明暗と同じであり、
前記駆動回路板に入力する映像信号が有する映像の方向を反転するステップをさらに含み、
前記映像信号が有する前記映像の方向は、前記デジタル光処理投影装置により投影される映像の方向と同じである、
請求項１に記載の表示方法。
【請求項３】
前記照明光束を提供するステップは、光源により前記照明光束を発するステップを含み、前記光源から前記デジタルマイクロミラーデバイスまでの前記照明光束の光軸は、直線である、
請求項１に記載の表示方法。
【請求項４】
照明光束を発する光源を有する照明システムと、
映像を投影するための投影レンズと、
駆動回路板と、前記駆動回路板上に設置され、複数のマイクロミラー及び予め設定された光入射方向を表示するための識別マークを含むデジタルマイクロミラーデバイスと、を含む光変調装置であって、前記デジタルマイクロミラーデバイスは、前記デジタル光処理投影装置の中において前記駆動回路板上に予め設定された予定方位を有し、前記デジタルマイクロミラーデバイスは、動作方位で前記駆動回路板上に設置され、前記動作方位は、前記駆動回路板上に予め設定された前記予定方位と所定の角度を成し、前記所定の角度は、１８０度であり、前記マイクロミラーの位置が第一の安定状態及び第二の安定状態から選択され、前記デジタルマイクロミラーデバイスは前記予定方位で前記駆動回路板上に設けられるときに、前記第一の安定状態の前記マイクロミラーが前記予め設定された光入射方向に沿って入射した光を前記投影レンズ内に反射し、前記第二の安定状態の前記マイクロミラーが前記予め設定された光入射方向に沿って入射した光を前記投影レンズの外への所定方向に反射し、前記デジタルマイクロミラーデバイスは前記動作方位で前記駆動回路板上に設けられるときに、前記第二の安定状態の前記マイクロミラーが前記予め設定された光入射方向に沿って入射した光を前記投影レンズ内に反射し、前記第一の安定状態の前記マイクロミラーが前記予め設定された光入射方向に沿って入射した光を前記投影レンズの外への所定方向に反射する光変調装置と、
を含み、
前記照明光束は、前記予め設定された光入射方向と異なる動作方向に沿って前記デジタルマイクロミラーデバイスに入射し、前記第二の安定状態の前記マイクロミラーは、前記動作方向に沿って入射した前記照明光束を前記投影レンズ内に反射し映像を投影させ、前記第一の安定状態の前記マイクロミラーは、前記動作方向に沿って入射した前記照明光束を前記投影レンズの外への所定方向に反射し、
前記デジタルマイクロミラーデバイスは前記駆動回路板上に予め設定された前記予定方位で前記駆動回路板上に設けられるときに、前記デジタルマイクロミラーデバイスは、１〜３個の明るいスポットを有し、前記明るいスポットは、前記デジタルマイクロミラーデバイスの前記マイクロミラーの位置がずっと前記第一の安定状態にあることを指す、
デジタル光処理装置。
【請求項５】
前記駆動回路板に入力する映像信号が有する映像の明暗を反転するための明暗反転ユニットをさらに含み、
前記映像信号が有する前記映像の明暗は、前記デジタル光処理投影装置により投影される映像の明暗と同じであり、
前記駆動回路板に入力する映像信号が有する映像の方向を反転するための映像方向反転ユニットをさらに含み、
前記映像信号が有する前記映像の方向は、前記デジタル光処理投影装置により投影される映像の方向と同じである、
請求項４に記載のデジタル光処理装置。
【請求項６】
前記光源から前記デジタルマイクロミラーデバイスまでの前記照明光束の光軸は、直線である、
請求項４に記載のデジタル光処理装置。
【発明の詳細な説明】
【技術分野】
【０００１】
本発明は、デジタル投影と表示技術に関し、特に、デジタル光処理投影装置及びその表示方法に関する。
【背景技術】
【０００２】
デジタル光処理（Ｄｉｇｉｔａｌ  Ｌｉｇｈｔ  Ｐｒｏｃｅｓｓｉｎｇ：ＤＬＰ）投影装置は、現在の主流なデジタル投影装置のうちの一つであり、その結像原理は、次のように説明する。図１を参照する。投影装置１００は、照明システム１１０、光変調デバイス１２０、及び、投影レンズ１３０を含む。そのうち、光変調デバイス１２０は、さらに、駆動回路板１２１及びこの駆動回路板１２１に設置されるデジタルマイクロミラーデバイス１２２を含む。デジタルマイクロミラーデバイス１２２は、予め設定された光入射方向を有する。照明システム１１０は、光源１１２、光積分ロッド１１３、複数のレンズ１１４、及び、反射ミラー１１６ａを含む。光源１１２により提供された照明光束１１２ａは、光積分ロッド１１３とレンズ１１４を通過した後に、反射ミラー１１６ａにより反射され、デジタルマイクロミラーデバイス１２２の予め設定された光入射方向に沿ってデジタルマイクロミラーデバイス１２２に入射し、そして、このデジタルマイクロミラーデバイス１２２は、照明光束１１２ａを映像光束１１２ａ′に変換し、投影レンズ１３０内に入射させる。続いて、投影レンズ１３０は、映像光束１１２ａ′をスクリーン（図示せず）に投影し映像を形成させる。
【０００３】
図２を参照する。デジタルマイクロミラーデバイス１２２は、双安定（Ｂｉ-ｓｔａｂｅｌ）状態を有する複数のマイクロミラー１２３を含み、マイクロミラー１２３は、一つの画素又は一つの二次画素を表し、また、双安定状態は、それぞれ、マイクロミラーが二つの異なる傾斜角度を有することを表し、例えば、第一の安定状態の傾斜角度は＋１２度であり、第二の安定状態の傾斜角度は、−１２度である。照明光束１１２ａがデジタルマイクロミラーデバイス１２２の予め設定された光入射方向に沿ってデジタルマイクロミラーデバイス１２２に入射するときに、第一の安定状態にあるマイクロミラー１２３（図２の太実線で示される）が光を投影レンズ１３０内に反射し、第二の安定状態にあるマイクロミラー１２３（図２の太点線で示される）が光を投影レンズ１３０の外への所定方向に反射することができる。このとき、第一の状態は、光オン状態（Ｏｎ-ｓｔａｔｅ）であり、第二の安定状態は、光オフ状態（Ｏｆｆ-ｓｔａｔｅ）である。
【０００４】
そのうち、デジタルマイクロミラーデバイス１２２の予め設定された光入射方向は、デジタルマイクロミラーデバイス１２２の製造プロセス及びデジタルマイクロミラーデバイス１２２の駆動チップにより決まり、一般的には、デジタルマイクロミラーデバイスメーカーは、デジタルマイクロミラーデバイスの予め設定された光入射方向が識別されやすいために、デジタルマイクロミラーデバイス上に識別用マーク、例えば、図１に示すデジタルマイクロミラーデバイス１２２の識別マーク１２２ａを予め付けておく。
【０００５】
あるマイクロミラーが故障し、デジタル映像信号がその状態を制御できないときに、このマイクロミラーは、スポットと称される。スポットは、二種類に分けられ、光オン状態にあるマイクロミラーは、明るいスポットと称され、光オフ状態にあるマイクロミラーは、黒いスポットと称される。通常、鑑賞者にとって、黒いスポットが明らかでないため、少量の黒いスポットが存在しても構わない。しかし、明るいスポットが比較的容易に気付かれ、視覚上での違和感を鑑賞者に与えやすいので、明るいスポットを生じさせないことが望ましい。
【０００６】
照明光束１１２がデジタルマイクロミラーデバイス１２２の予め設定された光入射方向に沿って入射する場合、デジタルマイクロミラーデバイス１２２に明るいスポットが存在すれば、標準出荷基準を満たせず、廃棄処分をしなければならないので、デジタル光処理投影装置の歩留まりが低くなり、これにより、デジタル光処理投影装置の製造コストを増加させる。
【発明の開示】
【発明が解決しようとする課題】
【０００７】
本発明の目的は、製造コストが低いデジタル光処理投影装置及びその表示方法を提供することにある。
【課題を解決するための手段】
【０００８】
本発明の他の目的と利点は、本発明に開示された技術の特徴により更に知られることができる。
前述した一又は部分又は全部の目的或いは他の目的を達成するために、本発明の一実施例によるデジタル光処理投影装置の表示方法は、（ａ）駆動回路板と、複数のマイクロミラー及び予め設定される光入射方向を表示するための識別マークを含むデジタルマイクロミラーデバイスと、を含む光変調装置を提供するステップであって、マイクロミラーの位置が第一の安定状態と第二の安定状態から選択され、且つ、デジタルマイクロミラーデバイスが駆動回路板上に設けられ、そのうち、第一の安定状態の前記マイクロミラーが、前記予め設定された光入射方向に沿って入射した光を投影レンズ内に反射し、第二の安定状態の前記マイクロミラーが、前記予め設定された光入射方向に沿って入射した光を前記投影レンズの外への所定方向に反射するステップと、（ｂ）前記予め設定された光入射方向と異なる動作方向に沿ってデジタルマイクロミラーデバイスに入射する照明光束を提供するステップであって、第二の安定状態にあるマイクロミラーが、動作方向に沿って入射した照明光束の中の光を投影レンズ内に反射し映像を投影させ、第一の安定状態にあるマイクロミラーが、動作方向に沿って入射した照明光束の中の光を投影レンズの外への所定方向に反射する。
【０００９】
本発明の一実施例によるデジタル光処理投影装置は、照明光束を提供する光源を有する照明システムと、映像を投影するための投影レンズと、駆動回路板を含む光変調装置と、複数のマイクロミラー及び予め設定された光入射方向を表示するための識別マークを含むデジタルマイクロミラーデバイスであって、マイクロミラーの位置が第一の安定状態と第二の安定状態から選択され、かつ、デジタルマイクロミラーデバイスが駆動回路板上に設けられ、そのうち、第一の安定状態のマイクロミラーが、予め設定された光入射方向に沿って入射した光源を投影レンズ内に反射し、第二の安定状態のマイクロミラーを予め設定された光入射方向に沿って入射した光を投影レンズの外への所定方向に反射するデジタルマイクロミラーデバイスと、を含み、そのうち、照明光束は、予め設定された光入射方向と異なる動作方向に沿ってデジタルマイクロミラーデバイスに入射し、第二の状態のマイクロミラーが、動作方向に沿って入射した照明光束の中の光を投影レンズ内に反射し映像を投影させ、第一の状態のマイクロミラーが、動作方向に沿って入射した照明光束の中の光を投影レンズの外への所定方向に反射する。
【発明の効果】
【００１０】
本発明は、照明光束を、デジタルマイクロミラーデバイスの予め設定された光入射方向と異なる動作方向に沿ってデジタルマイクロミラーデバイスに入射させるので、照明光束がデジタルマイクロミラーデバイスの予め設定された光入射方向に沿ってデジタルマイクロミラーデバイスに入射する場合において暗いスポットが無く明るいスポットが存在するデジタルマイクロミラーデバイスを再利用することができ、これにより、明るいスポットを暗いスポットに変えることにより標準出荷基準を満たさせ、デジタル光処理投影装置の製造コストを下げることができる。
【発明を実施するための最良の形態】
【００１１】
次に、添付した図面を参照しながら、本発明の好適な実施形態を詳細に説明し、これにより、本発明の前述の技術と他の技術、特徴及び利点が、より容易に理解できる。
【００１２】
なお、次の各実施例の説明は、添付した図面を参照して行われたものであり、本発明の実施可能な特定の実施例を例として示すために用いられる。本発明に言及した方向の用語、例えば、上、下、前、後、左、右などは、添付した図面の方向を参考するためのみである。よって、以下に使用された方向の用語は、説明のために用いられ、本発明を制限するためのものでない。
【実施例１】
【００１３】
図３を参照する。デジタル光処理投影装置２００は、照明システム２１０、光変調装置１２０、及び、投影レンズ１３０を含む。光変調装置１２０は、駆動回路板１２１と駆動回路板１２１上に設けられるデジタルマイクロミラーデバイス１２２を含む。照明システム２１０は、光源１１２、光積分ロッド１１３、及び、複数のレンズ１１４を含むが、図１に示すような反射ミラー１１６ａを含まない。光源１１２により提供される照明光束１１２ａは、光積分ロッド１１３とレンズ１１４を通過した後に、デジタルマイクロミラーデバイス１２２の予め設定された光入射方向と異なる動作方向に沿ってデジタルマイクロミラーデバイス１２２に入射し、このデジタルマイクロミラーデバイス１２２は、照明光束１１２ａを映像光束１１２ｂに変換し、投影レンズ１３０内に入射させる。光源１１２からデジタルマイクロミラーデバイス１２２までの照明光束１１２ａの光軸が直線（図３に示すように）である。そのうち、図２に示すように、予め設定された光入射方向は、予め設定された光入射方向に沿ってデジタルマイクロミラーデバイス１２２に入射した照明光束１１２ａの中の光が、第一の安定状態のマイクロミラー１２３（図２の太実線で表示される）により投影レンズ１３０内に反射され、第二の安定状態のマイクロミラー１２３（図２の太点線で表示される）により投影レンズ１３０の外への所定方向に反射されることを指す。この時、第一の安定状態は、光オン状態と称され、第二の安定状態は、光オフ状態と称される。これに対して、図４に示すように、動作方向は、動作方向に沿ってデジタルマイクロミラーデバイス１２２に入射した照明光束１１２ａの中の光が、第二の安定状態のマイクロミラー１２３（図４の太実線で表示される）により投影レンズ１３０内に反射され、第一の安定状態のマイクロミラー１２３（図４の太点線で表示される）により投影レンズ１３０の外への所定方向に反射されることを指す。この時、第二の安定状態は、光オン状態であり、第一の安定状態は、光オフ状態である。
【００１４】
以下、説明の便宜のために、照明システム１１０から発した照明光束１１２ａが予め設定された方向に沿ってデジタルマイクロミラーデバイス１２２に入射する設計を第一の設計と称し、照明システム２１０から発した照明光束１１２ａが動作方向に沿ってデジタルマイクロミラーデバイス１２２に入射する設計を第二の設計と称する。
【００１５】
前述した実施例において、製造を便利にするために、投影装置の照明システム２１０、光変調装置１２０、及び、投影レンズ１３０を個別にモジュール化しても良い。このようにして、第一の設計の投影装置１００及び第二の設計の投影装置２００のために、異なる照明システムを個別に設計する必要があり、第二の設計の投影装置２００が第一の設計の投影装置２００の光変調装置１２０及び投影レンズ１３０と同じものを使用できるようにさせることにより、投影機全体を再設計する負担を軽減することができる。
【００１６】
例えば、他の一実施例において、図５に示すように、図１の照明システムを再設計することができる。反射ミラー１１５を増設することにより、照明システム３１０により提供される照明光束１１２ａを、デジタルマイクロミラーデバイス１２２の予め設定された光入射方向と異なる動作方向に沿ってデジタルマイクロミラーデバイス１２２に入射させ、これにより、第二の設計の投影装置２００は、第一の設計の投影装置１００の光変調装置１２０および投影レンズ１３０と同じものを使用しても良い。第二の設計の投影装置２００の照明システム３１０は、反射ミラー１１５のみを増設する必要がある。
【００１７】
以下、デジタル光処理投影装置２００を採用する表示方法を説明する。この表示方法は、
（ａ）駆動回路板１２１及びデジタルマイクロミラーデバイス１２２を含む光変調装置１２０を提供するステップであって、デジタルマイクロミラーデバイス１２２は、第一の安定状態及び第二の安定状態の複数のマイクロミラー１２３と、予め設定された光入射方向（図３と図５の識別マーク１２２ａにより識別されることができる）と、を含み、且つ、デジタルマイクロミラーデバイス１２２は、駆動回路板１２１上に予め設置された予定方位で駆動回路板１２１上に設けられるステップと、
（ｂ）照明光束１１２ａを提供するステップであって、照明光束１１２ａは、デジタルマイクロミラーデバイス１２２の予め設定された光入射方向と異なる動作方向に沿ってデジタルマイクロミラーデバイス１２２に入射し、且つ、デジタルマイクロミラーデバイスは照明光束を映像光束１１２ｂに変換し、投影レンズ１３０に入射させ映像を投影させるステップと、
を含む。そのうち、照明システム１１０を照明システム２１０に変えること、又は、反射ミラー１１５を増設した照明システム３１０を使うことにより、光変調装置１２０及び投影レンズ１３０を変更せずに、照明光束１１２ａがデジタルマイクロミラーデバイス１２２の予め設定された光入射方向と異なる動作方向に沿ってデジタルマイクロミラーデバイス１２２に入射することを達成することができる。
【００１８】
また、第一の設計の投影装置１００と第二の設計の投影装置のために異なる光変調装置を個別に設計することにより、第二の設計の投影装置が第一の設計の投影装置１００の照明システム１１０及び投影レンズ１３０と同じものを使用することができる。これについては、例えば、次の第二の実施例で説明する。
【実施例２】
【００１９】
図６を参照する。デジタル光処理投影装置３００は、光変調装置２００、照明システム１１０及び投影レンズ１３０を含む。光変調装置２２０は、駆動回路板２２１及び駆動回路板２２１上に設置されるデジタルマイクロミラーデバイス１２２を含む。そのうち、デジタルマイクロミラーデバイス１２２は、デジタル光処理投影装置３００において駆動回路板２２１上に予め設置された予定方位を有するが、デジタルマイクロミラーデバイス１２２は、動作方位で駆動回路板２２１上に設置され、この動作方位は、駆動回路板上に設置された前記予定方位と所定の角度を成す。
【００２０】
照明システム１１０は、光源１１２、光積分ロッド１１３、複数のレンズ１１４及び反射ミラー１１６ａを含む。光源１１２により提供された照明光束１１２ａは、光積分ロッド１１３とレンズ１１４を通過した後に、反射ミラー１１６ａにより反射され、そして、デジタルマイクロミラーデバイス１２２の予め設定された光入射方向と異なる動作方向に沿ってデジタルマイクロミラーデバイス１２２に入射する。
【００２１】
そのうち、第二の設計の投影装置３００の光変調装置２２０と第一の設計の投影装置１００の光変調装置１２０との相違点は、光変調装置２２０の構造が、デジタルマイクロミラーデバイス１２２を、デジタルマイクロミラーデバイス１２２の表面の法線ベクタルＩＩ′を中心として所定の角度、例えば、１８０度自転させた後に、動作方位で駆動回路板２２１の表面２２３上に設置するものであることにある。これにより、動作方向は、予め設定された光入射方向に対して、デジタルマイクロミラーデバイス１２２の表面の法線ベクタルＩＩ′を中心として所定の角度、例えば、１８０度自転させる方向である。駆動回路板２２１は、デジタル映像信号を提供するために用いられ、デジタルマイクロミラー１２２を制御することにより、デジタルマイクロミラーデバイス１２２に入射した照明システム１１０からの照明光束１１２ａに対して変調を行い映像光束１１２ｃに変換し、投影レンズ１３０内に入射させる。第二の設計の投影装置３００は、第一の設計の投影装置１００の照明システム１１０及び投影レンズ１３０と同じものを使用することができるが、第二の設計の投影装置３００の光変調装置２００のみについて、前述した方法により製造する。
【００２２】
以下、デジタル光処理投影装置３００を採用する表示方法について説明する。この方法は、
（ａ）駆動回路板２２１及びデジタルマイクロミラーデバイス１２２を含む光変調装置２２０を提供するステップであって、デジタルマイクロミラーデバイス１２２は、第一の安定状態及び第二の安定状態の複数のマイクロミラー１２３と、予め設定された光入射方向（図６の識別マーク１２２ａにより識別されることができる）と、を含み、且つ、デジタルマイクロミラーデバイス１２２は、駆動回路板２２１上に予め設置される予定方位と所定の角度を成す動作方位で駆動回路板２２１上に設けられるステップと、
（ｂ）照明光束１１２ａを提供するステップであって、照明光束１１２ａは、デジタルマイクロミラーデバイス１２２の予め設定された光入射方向と異なる動作方向に沿ってデジタルマイクロミラーデバイス１２２に入射し、且つ、デジタルマイクロミラーデバイスは、照明光束を映像光束１１２ｃに変換し、投影レンズ１３０に入射させ映像を投影させるステップと、
を含む。そのうち、デジタルマイクロミラーデバイス１２２を、デジタルマイクロミラーデバイス１２２の表面の法線ベクトルＩＩ′を中心して所定の角度、例えば、１８０度自転させた後に、動作方位で駆動回路板２２１の表面２２３上に設けることにより、照明システム１１０を変更せずに、照明光束１１２ａがデジタルマイクロミラーデバイス１２２の予め設定される光入射方向と異なる動作方向に沿ってデジタルマイクロミラーデバイス１２２に入射するようにさせることができる。
【００２３】
本発明の第一及び第二の実施例による投影装置２００と３００は、照明光束１１２ａがデジタルマイクロミラーデバイス１２２の予め設定される光入射方向と異なる動作方向に沿ってデジタルマイクロミラーデバイス１２２に入射するので、元々光オン状態のマイクロミラー１２３は、光オフ状態になり、入射してきた照明光束１１２ａの中の光を投影レンズ１３０の外への所定方向に反射させるが、元々光オフ状態のマイクロミラー１２３は、光オン状態になり、入射してきた照明光束１１２ａの中の光を投影レンズ１３０内に反射させる。よって、本実施例による投影装置２００と３００は、照明光束１１２ａがデジタルマイクロミラーデバイスの予め設定された光入射方向に沿ってデジタルマイクロミラーデバイスに入射する場合において暗いスポットが無く明るいスポットが存在するデジタルマイクロミラーデバイスを再利用することができ、これにより、明るいスポットを暗いスポットに変えることにより標準出荷基準を満たさせ、デジタル光処理投影装置の製造コストを一定程度下げることができる。また、良い出荷品質を達成するために、暗いスポットに変わる明るいスポットの数が、通常、１〜３個に制御される必要があり、即ち、照明光束１１２ａがデジタルマイクロミラーデバイス１２２の予め設定される光入射方向に沿って入射し、且つ、デジタルマイクロミラーデバイス１２２が駆動回路板１２１上に予め設置される予定方位で駆動回路板１２１上に設けられる場合において、デジタルマイクロミラーデバイス１２２が有する明るいスポットの数が１〜３個である。
【００２４】
他の実施例において、照明光束１１２ａがデジタルマイクロミラーデバイス１２２の予め設定された光入射方向と異なる動作方向に沿ってデジタルマイクロミラーデバイス１２２に入射し、デジタルマイクロミラーデバイス１２２により変換されて形成された映像光束が有する映像の明暗は、照明光束１１２ａが予め設定された光入射方向に沿って入射する場合においてデジタルマイクロミラーデバイス１２２により変換された映像光束が有する映像の明暗とは、互いに相反する。よって、投影を正確に行うために、駆動回路板１２１、２２１上に明暗反転ユニット（図示せず）を設けても良く、これにより、駆動回路板１２１／２２１に入力された映像信号が有する映像の明暗を反転することができる。それに応じて、第一及び第二の実施例の表示方法は、さらに、駆動回路板１２１、２２１に入力される映像信号が有する映像の明暗を反転するステップであって、映像信号が有する映像と、デジタル光処理投影装置により投射される映像との明暗は同じであるステップをさらに含んでも良い。
【００２５】
他の一実施例において、照明光束１１２ａがデジタルマイクロミラーデバイス１２２の予め設定される光入射方向と異なる動作方向に沿ってデジタルマイクロミラーデバイス１２２に入射するので、デジタルマイクロミラーデバイス１２２により変換されて形成された映像光束が有する映像は、照明光束１１２ａが予め設定された光入射方向に沿って入射する場合においてデジタルマイクロミラーデバイス１２２により変換された映像光束が有する映像とは、その方向が相反し、これにより、スクリーンに投影された映像が逆方向の状態となる。よって、投影を正確に行うために、駆動回路板１２１、２２１上に映像方向反転ユニット（図示せず）を設置する必要があり、これにより、駆動回路板１２１、２２１に入力された１２１、２２１の映像信号が有する映像の方向を反転する。それに応じて、第一及び第二の実施例における表示方法は、さらに、駆動回路板１２１、２２１に入力される映像信号が有する映像の方向を反転するステップであって、映像信号が有する映像と、デジタル光処理装置により投影される映像との方向が同じであるステップを含む。
【００２６】
また、他の実施例において、投影装置に進入する映像信号に対して明暗反転と映像方向の処理を予め行い、その後、投影装置に入力させることにより、映像を正確に投影することもできる。
【００２７】
本発明が前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、特許文献の検索を助けるためのみのものであり、本発明の権利範囲を限定するものでない。
【図面の簡単な説明】
【００２８】
【図１】従来の投影装置の構造を示す図である。
【図２】図１に係る投影装置のデジタルマイクロミラーデバイスにおけるマイクロミラーの動作を示す図である。
【図３】本発明の第一の実施例による投影装置の構造を示す図である。
【図４】図６に係る投影装置のデジタルマイクロミラーデバイスにおけるマイクロミラーの動作を示す図である。
【図５】本発明の第一の実施例による投影装置の他の実施例の構造を示す図である。
【図６】本発明の第二の実施例による投影装置の構造を示す図である。
【符号の説明】
【００２９】
１００、２００、３００  投影装置
１１０、２１０、３１０  照明システム
１１２  光源
１１２ａ  照明光束
１１２ａ′、１１２ｂ、１１２ｃ  映像光束
１１３  光積分ロッド
１１４  レンズ
１１５  反射ミラー
１１６ａ  反射ミラー
１２０、２２０  光変調装置
１２１、２２１  駆動回路板
２２３  駆動回路板の表面
１２２  デジタルマイクロミラーデバイス
１２２ａ  識別マーク
１２３  マイクロミラー
１３０  投影レンズ
ＩＩ′  法線ベクタル
【図１】
0004677473.tif 000002
【図２】
0004677473.tif 000003
【図３】
0004677473.tif 000004
【図４】
0004677473.tif 000005
【図５】
0004677473.tif 000006
【図６】
0004677473.tif 000007